(57)【特許請求の範囲】
【請求項１】
前面と側面を有し引出形遮断器の前面に固定され固定側プラグが取り付けられ可動側プラグの鎖錠ピンの第１の挿入穴が前面に形成された取付板と、この取付板の前面に第１の案内具を介して上下動自在に添設され上下方向に長い長円穴とこの長円穴の中間部に前記鎖錠ピンの第２の挿入穴が形成された邪魔板と、前記取付板の側面の内側に添設され前記第２および第１の挿入穴から挿入される前記鎖錠ピンで押圧されて後退する鎖錠板と、この鎖錠板の下方の前記取付板の前面の裏側に添設され前記邪魔板に第２の案内具を介して固定された操作板と、この操作板に上端が連結され下端が前記引出形遮断器の底板を貫通した角材からなる鎖錠棒とを備え、前記可動側プラグを前記固定側プラグに挿入して前記鎖錠板が後退した時に前記鎖錠ピンの溝部と前記邪魔板の長円穴が嵌合して前記操作板が上昇し、この状態で前記引出形遮断器を試験位置または接続位置のいずれかの位置に挿入した時に、前記鎖錠棒が引出形遮断器を収容するユニット枠の床に当接して前記邪魔板の下降が阻止され前記鎖錠ピンの溝部と前記邪魔板の長円穴の嵌合により前記可動側プラグの引き抜きが阻止されることを特徴とする引出形遮断器の接続プラグの鎖錠機構。
【請求項２】
前記取付板の前記第１の挿入穴の下部に形成された案内穴に遊嵌し前記邪魔板と前記操作板を固定する間隔具で前記第２の案内具を構成したことを特徴とする請求項１記載の引出形遮断器の接続プラグの鎖錠機構。
【発明の詳細な説明】
【０００１】
【発明の属する技術分野】
本発明は、引出形遮断器の接続プラグの鎖錠機構に関する。
【０００２】
【従来の技術】
図10は、従来の引出形遮断器の接続プラグの鎖錠機構が組み込まれた遮断器ユニットの一例を示す右側面図で、引出形遮断器の保守・点検位置の場合を示す図である。
【０００３】
図10において、この遮断器ユニットは、略Ｌ字形のユニット枠１とこのユニット枠１の床１ａに左側の前方から挿入され収納された引出形真空遮断器２で構成されている。
【０００４】
このうち、ユニット枠１の床１ａの前方には、凸部１ｃが形成され、垂直な後部１ｂの前面には、固定側主回路端子部10Ｂが上下に突設されている。引出形遮断器２の後端には、固定側主回路端子部10Ｂに嵌合する可動側主回路端子部10Ａが突き出ている。
【０００５】
引出形真空遮断器２の下端には、一対の車輪２ａが前後に設けられ、図示しない前面から見て左側の側板の前端には、この発明の対象となる接続プラグの鎖錠機構３Ｂが内側に組み込まれている。
【０００６】
この鎖錠機構３Ｂには、雄形の固定側プラグ４が前面に取り付けられ、鎖錠機構３Ｂの内部に後述する図12で示すように組み込まれた鎖錠板12Ｃの下端は、ユニット枠１の凸部１ｃの前方に突き出ている。
【０００７】
固定側プラグ４の前方には、このユニット枠１が組み込まれる図示しない金属鎖錠形スイッチギアの箱体に固定された制御線ケーブル６Ａの端部に接続された可動側プラグ５が、この可動側プラグ５を固定する樋状の案内板７とともに示されている。
【０００８】
図11（ａ）は、図10で示した可動側プラグ５の拡大図、（ｂ）は（ａ）の右側面図で、案内板７の図11（ｂ）において右側には、鎖錠ピン８の前端が固定され、この鎖錠ピン８の中間部やや前方には、溝部８ａが加工されている。
【０００９】
このように構成された引出形真空遮断器においては、図10で示す断路位置から図10において右側となる試験位置や更にその右側の接続位置に引出形真空遮断器２を移動させるときには、安全上可動側プラグ５が固定側プラグ４に完全に挿入されていることが規格（日本電機工業会規格ＪＥＭ1425とＩＥＣ298 金属閉鎖形スイッチギヤ及びコントロールギヤ）で定められている。
【００１０】
また、接続位置では、この挿入された可動側プラグ５が抜けないように鎖錠機構３Ｂが構成され、制御回路による遮断器の主回路の電磁操作が可能で、安全上主回路の保護機能を発揮することができるように配慮されている。
【００１１】
図12（ａ）は、図10で述べた接続プラグの鎖錠機構３Ｂを前面から見た拡大詳細図、（ｂ）は（ａ）の右側面図でいずれも特公平２- ５８８４４号公報に開示されている。
【００１２】
すなわち、図示しない平面図ではＬ字形に形成されて引出形真空遮断器の左側板に左側が固定された取付板13Ｂの上部には、前述した固定側プラグ４が前面側から取り付けられている。
【００１３】
この取付板13Ｂの上部左側に後方に曲げられて形成したブラケット13ｂの下部後端には、支軸を介してレバー31の後端が揺動自在に設けられ、このレバー31の上部は、固定側プラグ４の後部に突設された案内筒の背面と対置している。
【００１４】
レバー31の下部には、連結ピンを介して帯板状の鎖錠板12Ｃの上端が連結され、この鎖錠板12Ｃの中間部と下部には、上下方向に長い平行な直線部を形成する長穴が加工されている。
【００１５】
これらの長穴には、取付板13Ｂの下部左側の後方に直角に湾曲して形成されたブラケット13ｃの上下に中間部が固定された案内ピン30の右端が遊嵌している。
取付板13Ｂの上部には、固定側プラグ４の左側に対して、円形の挿入穴が加工され、この上部にやや小径の固定穴が加工されている。
【００１６】
取付板13Ｂの上部左側には、図示しない平面図ではＬ字形に形成された以下説明する邪魔板12Ｂの上部が前面に添設されている。
この邪魔板12Ｂの上部には、上下方向に長い長円穴が形成され、この長円穴の中間やや下部に対して取付板13Ｂの挿入穴と同径の挿入穴が追加加工され、図12（ａ）では、長円穴の下部が取付板13Ｂの挿入穴の中心と一致している。
【００１７】
邪魔板12Ｂには、挿入穴の上部の前述した固定穴に対して、段付ねじ27が挿入され、取付板13Ｂの背面側から螺合されたナットで締め付けられ、邪魔板12Ｂは、段付ねじ27の段付部と長円穴によって上下動自在となっている。
【００１８】
邪魔板12Ｂの中間部の前面には、つまみ11Ｂが固定され、邪魔板12Ｂの中間部の右側面には、引張りばね20Ｃの下端が係止されるピンが突設されている。引張りばね20Ｃの上端は、レバー31と鎖錠板12Ｃを連結する連結ピンに係止され、この結果、邪魔板12Ｂは、引張りばね20Ｃの復帰力で図12で示す位置に支えられている。
【００１９】
邪魔板12Ｂの下部には、取付板13Ｂに形成された長穴に対応し図12（ｂ）の破線で示した長穴が上下に形成され、これらの長穴の下端に対して案内ピン30の前端が遊嵌し、この案内ピン30の前端に挿入された止め輪で上下動自在となっている。
【００２０】
このように構成された引出形遮断器の接続プラグの鎖錠機構においては、鎖錠板12Ｃの下端が凸部１ｃの前方にあるので、以下述べるように、図10，図11で示した可動側プラグ５の鎖錠ピン８を固定側プラグ４の左側の挿入穴に挿入することで、鎖錠板12Ｃを上方に持ち上げ鎖錠状態を解除して、試験位置や接続位置に挿入する。
【００２１】
すなわち、可動側プラグ５を固定側プラグ４に挿入するときには、左手でつまみ11Ｂを介して邪魔板12Ｂを下ろし、この邪魔板12Ｂの上部に形成された挿入穴から可動側プラグの鎖錠ピン８を挿入してレバー31の上部を後方に揺動させる。
【００２２】
可動側プラグ５が完全に挿入され内部のプラグが互いに接続されると、この可動側プラグ５に形成されている図11（ａ）に示す溝部８ａの位置が邪魔板12Ｂに形成された長円穴の下部と一致するとともに、鎖錠板12Ｃの下端は、凸部１ｃよりも僅かに上方まで上昇する。
【００２３】
次に、邪魔板12Ｂのつまみ11Ｂを把持した手を放すと、この邪魔板12Ｂは、引張りばね20Ｃの復帰力で長円穴に遊嵌した案内ピン８の溝部８ａに案内されて上昇し、下端の位置が凸部１ｃよりも上方に位置する図12の状態に復帰して、引出形真空遮断器の試験位置への挿入が可能となる。
【００２４】
ここで、誤って、可動側プラグ５を抜こうとしても、この可動側プラグ５は、溝部８ａが邪魔板12Ｂに形成された長円穴の下端に嵌合しているので、引き抜くことはできない。
【００２５】
そのため、邪魔板12Ｂを下げようとしても、この邪魔板12Ｂの下端には、凸部１ｃが対置しているのでできない。すなわち、試験位置や接続位置では、可動側プラグ５を引き抜くことはできない。
【００２６】
なお、このような鎖錠条件による安全機構は、出荷する製品に添付した取扱説明書に記載されていて、取扱者が前述したような誤操作を行わないように配慮されている。
【００２７】
【発明が解決しようとする課題】
上記のように構成された従来の引出形遮断器の接続プラグの鎖錠機構においては、上下動によって下端が凸部１ｃの前方に下降する鎖錠部材が、板材の取付板13Ｂに対して案内ピン30で上下動する長い帯板状の鎖錠板12Ｃや邪魔板12Ｂであり、これらは剛性が低く、且つ方向性があるので、万一の誤操作などによって変形することがああり、組立や保守・点検に支障をきたすことがある。
そこで、本発明の目的は、鎖錠部材が変形するおそれが少なく、保守・点検を円滑に行うことのできる引出形遮断器の接続プラグの鎖錠機構を得ることである。
【００２８】
【課題を解決するための手段】
請求項１に対応する発明の引出形遮断器の接続プラグの鎖錠機構は、前面と側面を有し引出形遮断器の前面に固定され固定側プラグが取り付けられ可動側プラグの鎖錠ピンの第１の挿入穴が前面に形成された取付板と、この取付板の前面に第１の案内具を介して上下動自在に添設され上下方向に長い長円穴とこの長円穴の中間部に前記鎖錠ピンの第２の挿入穴が形成された邪魔板と、前記取付板の側面の内側に添設され前記第２および第１の挿入穴から挿入される前記鎖錠ピンで押圧されて後退する鎖錠板と、この鎖錠板の下方の前記取付板の前面の裏側に添設され前記邪魔板に第２の案内具を介して固定された操作板と、この操作板に上端が連結され下端が前記引出形遮断器の底板を貫通した角材からなる鎖錠棒とを備え、前記可動側プラグを前記固定側プラグに挿入して前記鎖錠板が後退した時に前記鎖錠ピンの溝部と前記邪魔板の長円穴が嵌合して前記操作板が上昇し、この状態で前記引出形遮断器を試験位置または接続位置のいずれかの位置に挿入した時に、前記鎖錠棒が引出形遮断器を収容するユニット枠の床に当接して前記邪魔板の下降が阻止され前記鎖錠ピンの溝部と前記邪魔板の長円穴の嵌合により前記可動側プラグの引き抜きが阻止されることを特徴とする。
【００２９】
さらに、請求項２に対応する発明の引出形遮断器の接続プラグの鎖錠機構は、取付板の第１の挿入穴の下部に形成された案内穴に遊嵌し邪魔板と操作板を固定する間隔具で第２の案内具を構成したことを特徴とする。
このような手段によって、本発明では、各構成部品と組立後の外形を小形化するとともに剛性を上げる。
【００３０】
【発明の実施の形態】
以下、本発明の引出形遮断器の接続プラグの鎖錠機構の一実施形態を図面を参照して説明する。
図１は、本発明の引出形遮断器の接続プラグの鎖錠機構の第１の実施形態を示す右側面図で、従来の技術で示した図12（ｂ）に対応する図、図２は正面図で、同じく図12（ａ）に対応する図、図３は図１，図２の部分分解斜視図である。
【００３１】
図１，図２及び図３において、図12で示した取付板13Ｂに対応する取付板13Ａの左側は、図２の左側に鎖線で示す引出形真空遮断器の側板２ｂに対して、図３で示すボルト28で固定されている。
【００３２】
取付板13Ａの前面には、固定側プラグ４が図12と同様に固定され、この固定側プラグ４の左側には、挿入穴16が同様に形成され、この上部には段付ねじ固定穴27ａが同様に形成されている。
【００３３】
さらに、挿入穴16の下側には、角穴13ｄが加工され、取付板13Ａの左側の後方に折曲したブラケット13ａの中間部の前方には、ピン17Ａが固定され、中間部の後方にはピン17Ａと同一品のピン17Ｂが固定されている。
【００３４】
ブラケット13ａの右側面には、図１において凹字状で図示しない前面図ではＬ字形の鎖錠板14が添設されている。
この鎖錠板14には、上部前側の後部に対して、挿入穴16と対置する曲げ部14Ｃが形成されている。
【００３５】
さらに、この曲げ部14ｃの下方には、横に長い長円穴14ａが形成され、上部の後部にも長円穴14ｂが形成され、この長円穴14ｂの下部に対して、ばね掛け18Ｂが固定されている。
【００３６】
鎖錠板14は、前後の長円穴14ａ，14ｂをピン17Ａ，17Ｂに嵌合させることで取付板13Ａに支持され、各ピン17Ａ，17Ｂに挿入された止め輪と各ピン17Ａ，17Ｂを介して前後方向に移動可能となっている。
【００３７】
ばね掛け18Ｂには、引張りばね20Ａの後端が係止され、この引張りばね20Ａの前端は、取付板13Ａのブラケット13ａの中央部に固定されたばね掛け18Ａに係止され、この結果、鎖錠板14は引張りばね20Ａの復帰力によって長円穴14ａ，14ｂの後端がピン17Ａ，17Ｂに押し付けられている。
【００３８】
前方のピン17Ａにも引張りばね20Ｂの上端が係止され、鎖錠板14の前端の下端には、短い鎖錠ピン21が固定されている。
取付板13Ａの前面には、固定側プラグ４の左側に対して、以下説明するように短冊状の邪魔板12Ａが上下動自在に添設されている。
【００３９】
すなわち、この邪魔板12Ａの上部には、上下方向に長い長円穴25が加工され、この長円穴25の中間やや下部の位置に挿入穴24が追加加工されている。
長円穴25の上部には、段付ねじ27の段付部が挿入され、この段付ねじ27の後端は取付板13Ａの固定穴27ａを貫通し、後方から螺合された図２で示すナットで固定されている。
【００４０】
邪魔板12Ａの中間部やや下部には、一対のめねじ穴が加工され、このめねじ穴の下側には、つまみ11Ａが固定されている。
このうち、めねじ穴の後面にはカラー19が添設され、このカラー19の更に後面には、図３においてコ字状に形成された操作板15が添設され、このうち、カラー19と操作板15は、この操作板15の上部後方から締付穴に挿入され前端が前述しためねじ穴に螺合された一対の小ねじ15ａで邪魔板12Ａに固定されている。
なお、操作板15の後部の上端は、前述した鎖錠板14の下端とピン21の後部で接触し、一対のカラー19の左右の外面側は、取付板13Ａの角穴13ｄの両側と僅かな間隙で対置している。
【００４１】
操作板15の下部には、連結ピン22が挿入され、この連結ピン22の中央部には、四角棒から製作された鎖錠棒９Ａの上端が止め輪を介して連結され、この鎖錠棒９Ａの下端は、引出形真空遮断器の底板２ｃに形成された四角形の鎖錠穴を貫通し、図１で示す凸部１ｃの前端と対置している。
【００４２】
連結ピン22には、鎖錠棒９Ａの上端の左側に対して、操作ばね20Ｂの下端が係止され、この操作ばね20Ｂの上端は、前方のピン17Ａに係止され、この結果、鎖錠棒９Ａ，操作板15及び邪魔板12Ａは，操作ばね20Ｂの復帰力によって操作板15の上端が鎖錠板14の下端に当接した図１で示す位置に維持されている。
【００４３】
次に、このように構成された引出形遮断器の接続プラグの鎖錠機構の作用を説明する。
図１及び図２の状態から試験位置や接続位置に引出形遮断器を挿入するために、可動側プラグを固定側プラグ４に挿入して操作回路や制御回路のケーブルを接続するときには、従来と同様につまみ11Ａを図１，図２の矢印Ａ１，Ａ２に示すように下方に押すことで、邪魔板12Ａ，操作板15とともに鎖錠棒９Ａを図１の矢印Ａ３に示すように押し下げて、これらの邪魔板12Ａ，操作板15及び鎖錠棒９Ａを図４及び図５で示す位置に下ろす。
【００４４】
このとき、可動側プラグ５の鎖錠ピン８を邪魔板12Ａの挿入穴24から取付板13Ａの挿入口を経て案内筒23に挿入し、更に可動側プラグ５を挿入して内部の接続ピンを完全に嵌合させるとともに、鎖錠ピン８の先端で鎖錠板14の曲げ部14ｃを図６に示すように押し、この鎖錠板14を後方にずらす。
【００４５】
すると、鎖錠ピン８に形成された図４に示す溝部８ａの位置が邪魔板12Ａに形成された長円穴25の位置と一致して、邪魔板12Ａは操作ばね20Ｂの復帰力で上昇し、この邪魔板12Ａとともに上昇する操作板15で鎖錠棒９Ａは図８及び図９の位置まで引き上げられる。
【００４６】
この結果、この鎖錠棒９Ａの下端は、図８及び図９に示すように凸部１ｃの上端面の位置よりも上方となって、引出形真空遮断器は、試験位置や接続位置に挿入可能となる。
【００４７】
なお、この状態でもし誤って可動側プラグ５を引き抜こうとしても、鎖錠ピン８は、溝部８ａが邪魔板12Ａの長円穴25と嵌合しているので、不可能であり、安全である。
【００４８】
このように構成された引出形遮断器の接続プラグの鎖錠機構においては、上下動によって下端が凸部１ｃの前方に下降する鎖錠部材が角材の鎖錠棒９Ａだけとなり、従来の図12で示した板材の取付板13Ｂに対して案内ピン30で上下動する長い帯板状の鎖錠板12Ｃや邪魔板12Ｂと比べて短く、剛性が高く、且つ方向性がなく、万一の誤操作などに対しても変形しないので、熟練者でなくても組立や保守・点検が容易となる。
【００４９】
【発明の効果】
以上、請求項１に対応する発明によれば、前面と側面を有し引出形遮断器の前面に固定され固定側プラグが取り付けられ可動側プラグの鎖錠ピンの第１の挿入穴が前面に形成された取付板と、この取付板の前面に第１の案内具を介して上下動自在に添設され上下方向に長い長円穴とこの長円穴の中間部に前記鎖錠ピンの第２の挿入穴が形成された邪魔板と、前記取付板の側面の内側に添設され前記第２および第１の挿入穴から挿入される前記鎖錠ピンで押圧されて後退する鎖錠板と、この鎖錠板の下方の前記取付板の前面の裏側に添設され前記邪魔板に第２の案内具を介して固定された操作板と、この操作板に上端が連結され下端が前記引出形遮断器の底板を貫通した角材からなる鎖錠棒とを備え、前記可動側プラグを前記固定側プラグに挿入して前記鎖錠板が後退した時に前記鎖錠ピンの溝部と前記邪魔板の長円穴が嵌合して前記操作板が上昇し、この状態で前記引出形遮断器を試験位置または接続位置のいずれかの位置に挿入した時に、前記鎖錠棒が引出形遮断器を収容するユニット枠の床に当接して前記邪魔板の下降が阻止され前記鎖錠ピンの溝部と前記邪魔板の長円穴の嵌合により前記可動側プラグの引き抜きが阻止されるので、鎖錠部材が変形するおそれが少なく、保守・点検を円滑に行うことのできる引出形遮断器の接続プラグの鎖錠機構を得ることができる。
【００５０】
さらに、請求項２に対応する発明によれば、取付板の第１の挿入穴の下部に形成された案内穴に遊嵌し邪魔板と操作板を固定する間隔具で第２の案内具を構成することで、各構成部品と組立後の外形を小形化するとともに剛性も上げたので、構造が簡単で保守・点検も更に容易な引出形遮断器の接続プラグの鎖錠機構を得ることができる。
【図面の簡単な説明】
【図１】本発明の引出形遮断器の接続プラグの鎖錠機構の一実施形態を示す右側面図。
【図２】本発明の引出形遮断器の接続プラグの鎖錠機構の一実施形態を示す正面図。
【図３】本発明の引出形遮断器の接続プラグの鎖錠機構の一実施形態を示す部分分解斜視図。
【図４】本発明の引出形遮断器の接続プラグの鎖錠機構の作用を示す右側面図。
【図５】本発明の引出形遮断器の接続プラグの鎖錠機構の作用を示す正面図。
【図６】本発明の引出形遮断器の接続プラグの鎖錠機構の図４と異なる作用を示す右側面図。
【図７】本発明の引出形遮断器の接続プラグの鎖錠機構の図４と異なる作用を示す正面図。
【図８】本発明の引出形遮断器の接続プラグの鎖錠機構の図４及び図６と異なる作用を示す右側面図。
【図９】本発明の引出形遮断器の接続プラグの鎖錠機構の図５及び図７と異なる作用を示す正面図。
【図１０】従来の引出形遮断器の接続プラグの鎖錠機構が組み込まれた引出形遮断器ユニットの一例を示す右側面図。
【図１１】（ａ）は図10の部分拡大詳細図、（ｂ）は（ａ）の右側面図。
【図１２】（ａ）は、従来の引出形遮断器の接続プラグの鎖錠機構の一例を示す正面図。（ｂ）は、従来の引出形遮断器の接続プラグの鎖錠機構の一例を示す右側面図。
【符号の説明】
１…ユニット枠、１ａ…床、１ｃ…凸部、２…引出形真空遮断器、２ａ…車輪、２ｂ…側板、２ｃ…底板、３Ａ…鎖錠機構、４…固定側プラグ、５…可動側プラグ、６Ａ…制御線ケーブル、７…案内板、８…鎖錠ピン、８ａ…溝部、９Ａ…鎖錠棒、10Ａ，10Ｂ…主回路端子、11Ａ…つまみ、12Ａ…邪魔板、13Ａ…取付板、14…鎖錠板、15…操作板、15ａ…小ねじ、16…挿入穴、17Ａ，17Ｂ…ピン、18Ａ，18Ｂ…ばね掛け、19…間隔管、20Ａ，20Ｂ…引張りばね、21…鎖錠ピン、22…連結ピン、23…案内筒、24…挿入穴、25…長円穴、27…段付きねじ、28…ボルト。
【図１】
0003623364.tif 000002
【図２】
0003623364.tif 000003
【図３】
0003623364.tif 000004
【図４】
0003623364.tif 000005
【図５】
0003623364.tif 000006
【図６】
0003623364.tif 000007
【図７】
0003623364.tif 000008
【図８】
0003623364.tif 000009
【図９】
0003623364.tif 000010
【図１０】
0003623364.tif 000011
【図１１】
0003623364.tif 000012
【図１２】
0003623364.tif 000013